(57)【特許請求の範囲】
【請求項１】
ＣＤ、ビデオテープなどを収納した扁平四角状商品Ｃを面陳列とたて陳列のどちらかを選択的にし得る商品陳列用什器であって、
上記商品Ｃが並列される底板１０と、その底板１０に立設されて並列された商品Ｃの後面を支える背板２０とから成り、
上記底板１０に前後方向の溝１６を形成するとともに、上記背板２０の下縁に、前記溝１６に摺動可能かつ背板２０が倒れないように嵌合する嵌合片２１を設け、さらに、背板２０の前面両側には起伏可能な側板２２を設け、かつ、前記底板１０の側縁には前記側板２２が乗り越えて係止する突起１９を設けたことを特徴とする扁平四角状商品陳列用什器。
【請求項２】
ＣＤ、ビデオテープなどを収納した扁平四角状商品Ｃを面陳列とたて陳列のどちらかを選択的にし得る商品陳列用什器であって、
上記商品Ｃが並列される底板１０と、その底板１０に立設されて並列された商品Ｃの後面を支える背板２０とから成り、
上記底板１０に前後方向の溝１６を形成するとともに、上記背板２０の下縁に、前記溝１６に摺動可能かつ背板２０が倒れないように嵌合する嵌合片２１を設け、さらに、背板２０の前面両側には起伏可能な側板２２を設け、かつ、前記背板２の前面上縁に横方向の突条２５を設けて、この突条２５に商品Ｃが当接して背板２０を後方に押圧するようにしたことを特徴とする扁平四角状商品陳列用什器。
【請求項３】
上記背板２の前面上縁に横方向の突条２５を設けて、この突条２５に商品Ｃが当接して背板２０を後方に押圧するようにしたことを特徴とする請求項１に記載の扁平四角状商品陳列用什器。
【発明の詳細な説明】
【０００１】
【発明の属する技術分野】
この発明は、ＣＤ（音楽データを記録したもののみならず、ＣＤ−ＲＯＭ、ＣＤ−Ｇ、ＣＤ−Ｉ、ＤＶＤなどの総ての光学データを読み込んだ全てのコンパクトディスクをいう）、ビデオテープなどをケースに収納した扁平四角状商品を面陳列とたて陳列のどちらかを選択的にし得る商品陳列用什器に関するものである。
【０００２】
【従来の技術】
ＣＤなどをケースに収納した扁平四角状商品の陳列方法としては、その商品の扁平面（前面）を顧客側にして並列する面陳列と（図１参照）、商品の側面を顧客側にして並列するたて陳列がある（図２参照）。この両陳列方式を成し得る陳列用什器として、特開２０００−２０１７８４号公報に記載のものがある。この陳列用什器は上下方向に複数段の陳列棚を有した多種類の商品陳列用である。また、棚板の奥行きを決定するために、背板を前後にスライド可能としている。
【０００３】
【発明が解決しようとする課題】
上記従来の陳列用什器は、多種類の商品を陳列するもののため、大きなものである。このため、コンビニエンスストアーなどにおいて、スペースの関係から、売筋の商品の数種類のみを陳列したい場合には不向きである。
【０００４】
また、面陳列の場合、背板の位置が一定（固定）であると、並列した商品の数によって、陳列した商品の前面が不揃いになり、意匠的にも好ましくないうえに、顧客にとっても見づらく、商品を取り出し難い。上記従来技術は、背板が前後にスライドするが、任意の位置では十分な固定をし得ず、商品の陳列数に応じて前後に移動ができない。
【０００５】
この発明は、以上の実情に鑑み、一の大きさの商品を面陳列又はたて陳列でき、かつ、必要に応じ連結して多種類の商品を陳列でき、さらに、面陳列では、背板の位置を調整できて商品陳列前面位置を常に同一とし得るようにすることを課題とする。
【０００６】
【課題を解決するための手段】
上記の課題を解決するために、この発明は、商品が載置される底板にその載置並列された商品を支える背板を前後に移動可能でかつ任意位置で固定可能としたのである。このようにすれば、背板の位置調整によって並列商品の前面位置を調節し得るからである。
【０００７】
つぎに、この発明は、背板に対の側板を起伏可能に設けたのである。この側板を倒せば、面陳列が可能であり、起立させれば、その両側板間に商品をたて陳列することができる。
【０００８】
【発明の実施の形態】
この発明の実施の形態としては、ＣＤ、ビデオテープなどをケースに収納した扁平四角状商品を面陳列とたて陳列のどちらかを選択的にし得る商品陳列用什器であって、前記商品が並列される底板と、その底板に立設されて並列された商品の後面を支える背板とから成り、前記底板に前後方向の溝を形成するとともに、前記背板の下縁に、前記溝に摺動可能かつ背板が倒れないように嵌合する嵌合片を設け、さらに、背板の前面両側には起伏可能な側板を設けた構成を採用し得る。
【０００９】
この構成において、上記底板の下面に吸盤を設ければ、この吸盤の吸着によって、各種の商品棚などの上面にこの什器を容易に設置できる。また、底板の側縁には上記側板が乗り越えて係止する突起を設ければ、側板が突起に係止して閉まらず、たて陳列し易いものとなる。
【００１０】
さらに、上記背板の前面上縁に横方向の突条を設けて、この突条に商品が当接して背板を後方に押圧するようにすれば、背板の支点、すなわち、溝に嵌合する嵌合片に後方へのモーメントが働いて、その嵌合片が溝の縁に圧接して背板を動きにくくする。このため、商品が背板に動くことなく確実に支えられる。
【００１１】
また、上記底板の側面の一方に係止片を設け、他方には、他の同一什器の底板の前記係止片が係止する係止孔を形成し、この係止片と係止孔の係止により、所要数の什器を並列接続し得るようにすれば、任意数の什器を並列でき、各種及び所要数の商品を陳列し得る。
【００１２】
【実施例】
一実施例を図１乃至図８に示し、この実施例は、合成樹脂成形品の底板１０とその底板１０に立設される背板２０とから成る。底板１０は、側壁１１、１１間がＤＶＤを包装した商品Ｃが入る幅を有し、その前面にタイトルカードａの挿入板１２が設けられている。この挿入板１２は上下の爪部１２ａ、１２ａにカードａを挟んで支持する。底板１０の側壁１１は下方向に延びて、一方の側壁１１の下縁に係止孔１３が、他方の側壁１１の下縁に係止片１４がそれぞれ設けられており、図８に示すように、この係止孔１３に他の係止片１４を係止することにより、同一大きさの実施例（什器）を任意数連結して、所要の大きさの陳列棚とし得る。このとき、側壁１１と挿入板１２の間には切欠１５が形成され、図１、図３に示すように一般の商品ケースＫの上面前縁の立壁ｂがその切欠１５に嵌まって什器の落下を防止する。
【００１３】
底板１０の両側には溝１６が形成され、この溝１６の前端は後述の嵌合片２１が入り得る挿入孔１７となっている。また、底板１０の下面には吸盤１８が着脱自在に設けられ、この吸盤１８により、この什器が商品ケースＫなどに固定される。吸盤１８は必要なければ取外す。
【００１４】
背板２０は下面両側に上記溝１６に嵌合する嵌合片２１を有し、この嵌合片２１は図６に示すように逆Ｔ字状をしており、挿入孔１７から溝１６に嵌合すると、そのフランジ部２１ａが溝１５の両側縁に係止して抜け止めとなり、背板２０の起立状態を維持し、前後方向の力を加えないと、背板２０が溝１６内を前後に動かない。
【００１５】
背板２０の前面両側には側板２２が起伏可能に設けられており、この側板２２と背板２０のほぞ２３とその孔２４の嵌合によって背板２０に側板２２がぴったり倒伏して面一となる。また、側板２２を起立すると、その下縁が底板１０の突起１９を乗り越えて係止し、その起立状態が維持される。背板２０の前面上側には横方向の突条２５が形成されており、この背板２０に商品Ｃをあずけた際、最初にこの突条２５に商品Ｃが当接して背板２０を後方に押圧する。このため、嵌合片２１のフランジ部２１ａが溝１６の側縁下面に圧接して背板２０の移動を確実に阻止する。
【００１６】
この実施例は以上の構成であり、面陳列の場合には、図１に示すように、側板２２を倒伏させて商品Ｃを陳列する。このとき、図５に示すように、並列数（陳列数）に応じて、その前面位置が常に同一となるように背板２０の前後方向の位置を設定する。
【００１７】
たて陳列の場合には、図２に示すように、側板２２を起立させて突起１９に係止して固定し、その側板２２、２２間に商品Ｃを並列して陳列する。
【００１８】
【発明の効果】
この発明は、以上のようにして、面陳列及びたて陳列を可能にするとともに、陳列数に応じて所要数を選択できて、スペース的にも有利なものであり、かつ背板の位置調整によって、商品の陳列前面位置を常に同一とし得る。このため、コンビニエンスストアーなどの小さなスペースで商品アピールが有効にできるものである。
【図面の簡単な説明】
【図１】一実施例の面陳列状態の斜視図
【図２】同実施例のたて陳列状態の斜視図
【図３】図１の切断側面図
【図４】同実施例の分解斜視図
【図５】同実施例の作用図
【図６】同実施例の切断部分正面図
【図７】同実施例の背板を示し、（ａ）は正面図、（ｂ）は（ａ）のＡ−Ａ線断面図
【図８】同実施例の作用図
【符号の説明】
１０  底板
１１  底板側壁
１３  係止孔
１４  係止片
１６  溝
１８  吸盤
１９  背板の側板係止用突起
２０  背板
２１  嵌合片
２２  背板の側板
２５  背板上縁の突条
Ｋ  商品ケース
Ｃ  商品
【図１】
0003602490.tif 000002
【図２】
0003602490.tif 000003
【図３】
0003602490.tif 000004
【図４】
0003602490.tif 000005
【図５】
0003602490.tif 000006
【図６】
0003602490.tif 000007
【図７】
0003602490.tif 000008
【図８】
0003602490.tif 000009